【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】
複数の配信用番組を記憶する配信番組記憶手段と、
所定の受信手段から送信された、上記配信用番組の配信を要求する配信要求文を受信し、上記配信要求文に該当する番組が上記配信番組記憶手段に記憶されている場合、当該番組を上記配信番組記憶手段から読み出す配信制御手段と、
上記読み出された上記番組を上記受信手段に配信する配信手段と、
上記配信された上記番組を受信する上記受信手段と
を具えることを特徴とする番組配信装置。
【請求項２】
上記配信要求文には、単語が記入され、
上記配信番組記憶手段には、上記配信用番組の各タイトルが記憶されている場合、
上記配信制御手段は、
上記配信要求文に記入された単語と、上記配信番組記憶手段に記憶された配信用番組の各タイトルとを照合し、
上記配信要求文に記入された単語に合致するタイトルがある場合、当該タイトルが示す上記配信用番組を上記配信番組記憶手段から読み出す
ことを特徴とする請求項１に記載の番組配信装置。
【請求項３】
上記配信要求文は、電子メール化され、上記配信手段に送信される
ことを特徴とする請求項１に記載の番組配信装置。
【請求項４】
上記配信要求文は、上記受信手段のユーザの任意の文体で記入された自由文である
ことを特徴とする請求項１に記載の番組配信装置。
【請求項５】
上記配信制御手段は、上記配信要求文に該当する番組が上記配信番組記憶手段に記憶されている場合、当該番組があることを示す合致通知を上記受信手段に送信する
ことを特徴とする請求項１に記載の番組配信装置。
【請求項６】
上記配信制御手段は、上記配信要求文に記入された単語に合致する上記タイトルがある場合、当該合致するタイトルがあることを示す合致通知を上記受信手段に送信する
ことを特徴とする請求項２に記載の番組配信装置。
【請求項７】
上記配信制御手段は、
上記配信要求文に該当する番組が上記配信番組記憶手段に記憶されている場合、当該番組の購入を承諾する確認通知を上記受信手段から受けて、上記番組を上記配信番組記憶手段から読み出す
ことを特徴とする請求項１に記載の番組配信装置。
【請求項８】
上記配信制御手段は、
上記配信要求文に記入された単語に合致する上記タイトルがある場合、当該タイトルが示す上記番組の購入を承諾する確認通知を上記受信手段から受けて、上記番組を上記配信番組記憶手段から読み出す
ことを特徴とする請求項２に記載の番組配信装置。
【請求項９】
上記配信制御手段は、上記受信手段に接続された録画装置を制御して上記配信された上記配信用番組を録画する制御命令を、上記合致通知に添付して上記受信手段に送信する
ことを特徴とする請求項５に記載の番組配信装置。
【請求項１０】
上記配信制御手段は、
上記受信手段に接続された録画装置を制御して上記配信された上記配信用番組を録画する制御命令を、上記合致通知に添付して上記受信手段に送信する
ことを特徴とする請求項６に記載の番組配信装置。
【請求項１１】
所定の受信手段から送信される配信要求文に応じて、当該配信要求文が示す配信用番組を上記受信手段に対して配信する番組配信方法において、
上記受信手段から所定の送信手段に対して上記配信要求文を送信する配信要求送信ス
テップと、
上記配信要求文に該当する番組と所定の配信番組記憶手段に記憶された配信用番組とを照合する照合ステップと、
上記配信要求文に該当する番組が上記配信番組記憶手段に記憶されている場合、当該番組を上記配信番組記憶手段から読出し上記受信手段に配信する配信ステップと
を具えることを特徴とする番組配信方法。
【請求項１２】
上記配信要求文には、単語が記入され、
上記配信番組記憶手段には、上記配信用番組の各タイトルが記憶されている場合、
上記照合ステップは、
上記配信要求文に記入された単語と、上記配信番組記憶手段に記憶された配信用番組の各タイトルとを照合し、
上記配信ステップでは、
上記配信要求文に記入された単語に合致する上記タイトルがある場合、当該タイトルが示す上記配信用番組を上記配信番組記憶手段から読み出し、上記受信手段に配信する
ことを特徴とする請求項１１に記載の番組配信方法。
【請求項１３】
上記配信要求文は、
電子メール化され、上記送信手段に送信される
ことを特徴とする請求項１１に記載の番組配信方法。
【請求項１４】
上記配信要求文は、上記受信手段のユーザの任意の文体で記入された自由文である
ことを特徴とする請求項１１に記載の番組配信方法。
【請求項１５】
所定の受信手段から送信される配信要求文に応じて、当該配信要求文が示す配信用番組を配信する送信装置において、
複数の上記配信用番組を記憶する配信番組記憶手段と、
上記配信要求文に該当する番組が上記配信番組記憶手段に記憶されている場合、当該番組を上記配信番組記憶手段から読み出す配信制御手段と、
上記読み出された上記番組を送信する配信手段と
を具えることを特徴とする送信装置。
【請求項１６】
上記配信要求文には、単語が記入され、
上記配信番組記憶手段には、上記配信用番組の各タイトルが記憶されている場合、
上記配信制御手段は、
上記配信要求文に記入された単語と、上記配信番組記憶手段に記憶された配信用番組の各タイトルとを照合し、
上記配信要求文に記入された単語に合致するタイトルがある場合、当該タイトルを示す上記配信用番組を上記配信番組記憶手段から読み出す
ことを特徴とする請求項１５に記載の送信装置。
【請求項１７】
上記配信要求文は、電子メール化され、上記送信装置に送信される
ことを特徴とする請求項１５に記載の送信装置。
【請求項１８】
上記配信要求文は、上記受信手段のユーザの任意の文体で記入された自由文である
ことを特徴とする請求項１５に記載の送信装置。
【請求項１９】
所定の配信用番組の配信を要求する配信要求文を所定の送信装置に送信する送信手段と、
上記送信装置から配信される、上記配信要求文に応じた上記配信用番組を受信する受信手段と
を具えることを特徴とする受信装置。
【請求項２０】
上記配信要求文は、電子メール化され、上記所定の送信装置に送信される
ことを特徴とする請求項１９に記載の受信装置。
【請求項２１】
上記配信要求文は、上記受信装置のユーザの任意の文体で記入された自由文である
ことを特徴とする請求項１９に記載の受信装置。
【請求項２２】
上記受信手段は、
上記配信要求文に該当する番組があることを示す合致通知を、上記送信装置から受信する
ことを特徴とする請求項１９に記載の受信装置。
【請求項２３】
上記送信手段は、
上記合致通知を受信した場合、上記配信要求文に該当する番組の購入を承諾する確認通知を送信装置に送信する
ことを特徴とする請求項１９に記載の受信装置。
【請求項２４】
上記受信手段は、
上記受信手段に接続された録画装置を制御して、上記受信した配信用番組を録画する制御命令を、上記送信装置から受信する
ことを特徴とする請求項１９に記載の受信装置。
【手続補正２】
【補正対象書類名】明細書
【補正対象項目名】０００８
【補正方法】変更
【補正の内容】
【０００８】
【課題を解決するための手段】
かかる課題を解決するため本発明においては、複数の配信用番組を記憶する配信番組記憶手段と、所定の受信手段から送信された配信用番組の配信を要求する配信要求文を受信し、当該配信要求文に該当する番組が配信番組記憶手段に記憶されている場合、当該番組を配信番組記憶手段から読み出す配信制御手段と、読み出された番組を受信手段に配信する配信手段と、配信された上記番組を受信する受信手段とを設けるようにした。
【手続補正３】
【補正対象書類名】明細書
【補正対象項目名】０００９
【補正方法】変更
【補正の内容】
【０００９】
また配信制御手段は、配信要求文に該当する番組が配信番組記憶手段に記憶されている場合、当該番組があることを示す合致通知を受信手段に送信するとともに、受信手段に接続された録画装置を制御して配信された配信用番組を録画する制御命令を、合致通知に添付して受信手段に送信するようにした。
【手続補正４】
【補正対象書類名】明細書
【補正対象項目名】００１１
【補正方法】変更
【補正の内容】
【００１１】
また、録画装置の制御命令を合致通知に添付して送信するようにしたことにより、ユーザが別途録画装置を操作する必要が無く、番組録画に際する操作性を向上することができる。
【手続補正５】
【補正対象書類名】明細書
【補正対象項目名】００４７
【補正方法】変更
【補正の内容】
【００４７】
【発明の効果】
上述のように本発明によれば、複数の配信用番組を記憶する配信番組記憶手段と、所定の受信手段から送信された配信用番組の配信を要求する配信要求文を受信し、当該配信要求文に該当する番組が配信番組記憶手段に記憶されている場合、当該番組を配信番組記憶手段から読み出す配信制御手段と、読み出された番組を受信手段に配信する配信手段と、配信された上記番組を受信する受信手段とを設けたことにより、ユーザが容易に番組購入を行い得ることができる番組配信装置を得ることができる。